(57)【要約】      （修正有）【課題】運動分野における、特に足指を拡げられ、足の筋肉を鍛えられるサンダル状のトレーニング用具を提供する。【解決手段】足の筋肉を美しく鍛えるために、サンダル状のトレーニング用具１の上面の着用面部２に鼻緒３を交叉状に設けて足指の親指と人差指間、小指と薬指間で挟み付けられるように形成し、下面の底面部を下方にいくにしたがって狭く形成するとともに、その底面部４をつま先側が高くて踵側が低い傾斜面に形成している。そして、底面部４に０．３〜１Ｋｇの所要の重錘を足指側に偏心して内設している。【選択図】図２
0003187418.tif 000002
【実用新案登録請求の範囲】
【請求項１】
サンダル状のトレーニング用具であって、上面の着用面部に鼻緒を交叉状に設けて足指の親指と人差指間、小指と薬指間で挟み付けるように形成し、下面の底面部を下方にいくにしたがって狭く形成するとともに、その底面部をつま先側が高くて踵側が低い傾斜面に形成したことを特徴とするサンダル状のトレーニング用具。
【請求項２】
底面部に０．３〜１Ｋｇの所要の重錘を足指側に偏心して内設した請求項１に記載のサンダル状のトレーニング用具。
【請求項３】
底面部を５段の階段状に形成し、底面部の設置部を上面の着用面部に比して２分の１〜３分の２の大きさとした請求項１または２に記載のサンダル状のトレーニング用具。
【請求項４】
底面部として、足指の搭載部を最も高く、踵部を浮き上がらせた状態に形成したことを特徴とするサンダル状のトレーニング用具。
【考案の詳細な説明】
【技術分野】
【０００１】
本考案は、運動分野における、特に足指を拡げられ、足の筋肉を鍛えられるサンダル状のトレーニング用具に関するものである。
【背景技術】
【０００２】
近年、靴やサンダルなどの履物に健康志向のものが提案され、ウォーキングシューズや健康サンダルなどとして市販されている。
【０００３】
たとえば、健康サンダルとしては、実用新案登録第３０８０５１１号公報のようにスリッパの履物台部の厚みを爪先部より踵部を低くしたり、内側部を外側部より低くし、アキレス腱の腓腹筋を伸張させ、歩行時や直立時に正しい姿勢を保持することが提案されている。
【先行技術文献】
【特許文献】
【０００４】
【特許文献１】実用新案登録第３０８０５１１号公報
【考案の開示】
【考案が解決しようとする課題】
【０００５】
しかし、上記のものでは、所要の健康効果を得られるものの、スリッパの底面は履物台部と同一の大きさであるとともに、通常のスリッパと同一の重量で、所要の筋肉を効果的に鍛えられるものでなかった。
【課題を解決するための手段】
【０００６】
本考案は、上記のような点に鑑みたもので、上記の課題を解決するために、サンダル状のトレーニング用具であって、上面の着用面部に鼻緒を交叉状に設けて足指の親指と人差指間、小指と薬指間で挟み付けるように形成し、下面の底面部を下方にいくにしたがって狭く形成するとともに、その底面部をつま先側が高くて踵側が低い傾斜面に形成したことを特徴とするサンダル状のトレーニング用具を提供するにある。
【０００７】
また、底面部に０．３〜１Ｋｇの所要量の重錘を足指側に偏心して内設したことを特徴とするサンダル状のトレーニング用具を提供するにある。
【０００８】
さらに、底面部を５段の階段状に形成し、底面部の設置部を上面の着用面部に比して２分の１〜３分の２の大きさとしたことを特徴とするサンダル状のトレーニング用具を提供するにある。
【０００９】
さらにまた、底面部として、足指の搭載部を最も高く、設置面から踵部を浮き上がらせた状態に形成したことを特徴とするサンダル状のトレーニング用具を提供するにある。
【考案の効果】
【００１０】
本考案のサンダル状のトレーニング用具は、実用新案登録請求の範囲の請求項１のように、上面の着用面部に鼻緒を交叉状に設けて足指の親指と人差指間、小指と薬指間で挟み付けるように形成したことによって、交叉状の鼻緒に足指の親指と人差指間、小指と薬指間で挟み付けて装着できて、足の指を拡げて意識的に指先で掴んで、バランスよく筋肉を使えて歩行トレーニングでき、足指部を鍛えられ、また外反拇指や偏平足、水虫の予防となる。
また、下面の底面部を下方にいくにしたがって狭く形成するとともに、その底面部をつま先側が高くて踵側が低い傾斜面に形成したことによって、安定しすぎず、不安定しすぎず、微妙なバランスをとれるように歩行によるトレーニングができて、アキレス腱、腓腹筋を伸張させ、脚や臀部、その他の筋肉を鍛えられ、歩行時や直立時に美しい姿勢を保持するようにできる。
【００１１】
また、請求項２のように、底面部に０．３〜１Ｋｇの所要量の重錘を足指側に偏心して内設したことによって、てこの原理を利用できて、上記のように微妙なバランスをとれるように歩行によるトレーニングができて、足、脚等の筋肉を鍛えることができ、モデルのように足を美しくできる。
【００１２】
さらに、請求項３のように、底面部を５段の階段状に形成し、底面部の設置部を上面の着用面部に比して２分の１〜３分の２の大きさとしたことによって、より微妙なバランスをとれるように歩行によるトレーニングができて、アキレス腱、腓腹筋を伸張させ、脚や臀部、その他の筋肉を鍛えられ、歩行時や直立時に美しい姿勢を保持するようにできる。
【００１３】
さらにまた、請求項４のように、底面部として、足指の搭載部を最も高く、設置面から踵部を浮き上がらせた状態に形成したことによって、より安定しすぎず、不安定しすぎず、微妙なバランスをとれるように歩行によるトレーニングができて、よりアキレス腱、腓腹筋等を伸張させ、歩行時や直立時に美しい姿勢を保持するようにできる。
【図面の簡単な説明】
【００１４】
【図１】本考案の一実施例の片方の斜視図、
【図２】同上の側面図、
【図３】同上の底面図、
【図４】同上の一部省略した断面図。
【考案を実施するための形態】
【００１５】
本考案のサンダル状のトレーニング用具は、上面の着用面部に鼻緒を交叉状に設けて足指の親指と人差指間、小指と薬指間で挟み付けるように形成し、下面の底面部を下方にいくにしたがって狭く形成するとともに、その底面部をつま先側が高くて踵側が低い傾斜面に形成したことを特徴としている。
【００１６】
サンダル状のトレーニング用具１は、ポリエチレン、ポリウレタン、ウレタン等の合成樹脂材や、ブチルゴム、ニトリルゴム等の天然ゴム材で一体的にサンダル状に形成し、図１〜図３のように上面の前部および後部が半円状の小判状の着用面部２としていて、この着用面部２に鼻緒３を交叉状に一体的に設けて、足指の親指と人差指間、小指と薬指間で挟み付けて、バランスよく筋肉を使えて歩行によるトレーニングができるようにしている。
【００１７】
そして、この着用面部２の底面側には、図２、図３のように下方にいくにしたがって狭く形成するとともに、その底面部をつま先側が高くて踵側が低い３〜５度の傾斜面に形成している
【００１８】
底面部４は、図２、図３のように５〜８ｍｍ毎の３〜５段、好ましくは５段の階段状に形成したり、周辺部を滑らかな曲面形状に形成して、底面部４の設置部を上面の着用面部２に比して２分の１〜３分の２の大きさとして安定しすぎず、不安定しすぎず、微妙なバランスをとれるようにしていて、さらに底面部４は足指の搭載部を最も高く、踵部を設置面から浮き上がらせた状態に形成することが好ましい。
【００１９】
底面部４は、３０〜４０ｍｍ位の高さが好ましく、５０ｍｍ以上では高すぎ、また足幅方向に２〜３ｍｍ毎、足長方向に１０〜２０ｍｍ毎に狭くしていくことが上記した歩行によるトレーニングに適して好ましい。
【００２０】
また、上記底面部４には、図２〜図４のように０．３〜２．０ｋｇ、好ましくは０．３〜１．０ｋｇで、０．３〜０．５ｋｇ（女性用）、０．６〜１．０ｋｇ（男性用）の鉄材や不錆鋼材等の重錘５を、足指側にその重心を偏心させて埋蔵して内設するのが、適度の負荷を足や脚部にかけられるとともに、てこの原理を利用できて軽く感じられ、足腰を鍛えられて好ましい。
【００２１】
上記では、カバーのないサンダル状のトレーニング用具について説明したが、スリッパ状にカバーを設けたサンダル状のトレーニング用具にも適用可能であり、底面部４を舟形状や台形状としたり、その他上記した本考案の趣旨にもとづいた適宜な変形態様を採択することができる。
【実施例】
【００２２】
図１以下は、本考案の一実施例を示すものである。サンダル状のトレーニング用具１は、女性用のもので、ポリウレタンの合成樹脂材で一体的に形成していて、図１〜図３のように上面の前部および後部が半円状の小判状の着用面部２とし、この着用面部２に鼻緒３を交叉状に設けて足指の親指と人差指間、小指と薬指間で挟み付けるように形成しているとともに、下面の底面部４を下方にいくにしたがって狭く形成し、その底面部４をつま先側が高くて踵側が低い５度の傾斜面に形成している。
【００２３】
そして、底面部４は、図２、図３のように６ｍｍ毎の５段の階段状に、また足幅方向に２〜３ｍｍ毎、足長方向に１５〜２０ｍｍ毎に５段の階段状に３０ｍｍの高さに形成し、底面部４の設置部を上面の着用面部２に比して２分の１の狭い設置面とし、足指の搭載部を最も高く、踵部を設置面から浮き上がらせた状態に形成している。
【００２４】
また、上記底面部４には、図２〜図４のように０．３ｋｇの鉄材の重錘５を足指側にその重心を偏心させて埋蔵して内設し、てこの原理を利用できて適度の負荷を足や脚部にかけられるようにしている。
【００２５】
本サンダル状のトレーニング用具１を着用して使用すると、着用面部２の交叉状の鼻緒３に足指の親指と人差指間、小指と薬指間で挟み付けて装着でき、足の指を拡げて意識的に指先で掴んでバランスよく筋肉を使えて歩行によるトレーニングができ、足指部を鍛えられ、また外反拇指や偏平足、水虫の予防もできる。
【００２６】
また、下面の底面部４を下方にいくにしたがって狭く形成するとともに、その底面部をつま先側が高くて踵側が低い５度の傾斜面としているため、安定しすぎず、不安定しすぎず、微妙なバランスをとれるようにトレーニングでき、アキレス腱、腓腹筋を伸張させ、脚や臀部、その他の筋肉を鍛えられ、歩行時や直立時に美しい姿勢を保持するようにできる。
【００２７】
さらに、底面部４に０．３Ｋｇの重錘５を足指側に偏心して内設しているため、上記のようにバランスをとるように歩行し、てこの原理を利用できて軽く感じられ、０．３Ｋｇの重錘５で足、脚等の筋肉を鍛えるようにトレーニングでき、モデルのように足を美しくできる。
【００２８】
さらにまた、底面部４を５段の階段状に形成し、底面部の設置部を上面の着用面部に比して２分の１の大きさとしたため、安定しすぎず、不安定しすぎず、微妙なバランスをとれるようにトレーニングでき、アキレス腱、腓腹筋を伸張させ、脚や臀部、その他の筋肉を鍛えられ、歩行時や直立時に美しい姿勢を保持するようにできる。
【００２９】
またさらに、底面部４を、足指の搭載部を最も高く、設置面から踵部を浮き上がらせた状態に形成したため、上記したように微妙なバランスをとれるように歩行によるトレーニングができて、アキレス腱、腓腹筋等を伸張させ、歩行時や直立時に美しい姿勢を保持するようにできる。
【００３０】
上記では、カバーのないサンダル状のトレーニング用具について説明したが、スリッパ状にカバーを設けたサンダル状のトレーニング用具にも適用可能であり、またトレーニングにしたがって所要の重量等のものを利用することもでき、さらに男性用のものにも適用でき、その他上記した本考案の趣旨にもとづいた適宜な変形態様を実施することができる。
【産業上の利用可能性】
【００３１】
本考案は、スリッパやサンダル等の履物のトレーニング用具に広く利用することができる。
【符号の説明】
【００３２】
１…履物      ２…着用面部      ３…鼻緒      ４…底面部      ５…重錘
【図１】
0003187418.tif 000003
【図２】
0003187418.tif 000004
【図３】
0003187418.tif 000005
【図４】
0003187418.tif 000006
【手続補正書】
【提出日】平成25年8月20日(2013.8.20)
【手続補正１】
【補正対象書類名】明細書
【補正対象項目名】００３２
【補正方法】変更
【補正の内容】
【００３２】
１…トレーニング用具    ２…着用面部    ３…鼻緒    ４…底面部    ５…重錘
【手続補正書】
【提出日】平成25年9月20日(2013.9.20)
【手続補正１】
【補正対象書類名】実用新案登録請求の範囲
【補正対象項目名】請求項４
【補正方法】変更
【補正の内容】
【請求項４】
底面部として、つま先側が高くて踵側が低い３〜５度の傾斜面に形成した請求項１ないし３のいずれかに記載のサンダル状のトレーニング用具。
【手続補正２】
【補正対象書類名】明細書
【補正対象項目名】０００９
【補正方法】変更
【補正の内容】
【０００９】
さらにまた、底面部として、つま先側が高くて踵側が低い３〜５度の傾斜面に形成したことを特徴とするサンダル状のトレーニング用具を提供するにある。
【手続補正３】
【補正対象書類名】明細書
【補正対象項目名】００１３
【補正方法】変更
【補正の内容】
【００１３】
さらにまた、請求項４のように、底面部として、つま先側が高くて踵側が低い３〜５度の傾斜面に形成したことによって、より安定しすぎず、不安定しすぎず、微妙なバランスをとれるように歩行によるトレーニングができて、よりアキレス腱、腓腹筋等を伸張させ、歩行時や直立時に美しい姿勢を保持するようにできる。
【手続補正４】
【補正対象書類名】明細書
【補正対象項目名】００２９
【補正方法】変更
【補正の内容】
【００２９】
またさらに、底面部４を、つま先側が高くて踵側が低い５度の傾斜面に形成したため、上記したように微妙なバランスをとれるように歩行によるトレーニングができて、アキレス腱、腓腹筋等を伸張させ、歩行時や直立時に美しい姿勢を保持するようにできる。